(57)【要約】【課題】  地震又大雨等で崩落した高速道路、一般公道、電車線路等の法面の土砂崩れ、ガケ崩れの復旧工事に又法面補強防止杭の打設装置の開発である。【解決手段】  建設機械又高所作業車用のユニックアームに装着し使用する根張り杭専用法面及び垂直二打設切り替え根出し棒打設機は傾斜地面に対しユニックアーム角度調整で勾配角度を接地水平安定板で調整、定点カメラでオペレーターが現場を監視して地下に打設された根張り杭の側壁の要所要所８ヶ所に突出口を設け又根張り杭内部に収納した根張り鋼板を押し出し木の根のように広範囲に打設させる根張り杭専用法面及び垂直二打設切り替え根出し棒打設機。【選択図】    図１
2007056479.tif 000002
【特許請求の範囲】
【請求項１】
建設機械又高所作業車用のユニックアームに装着し使用する根張り杭専用法面及び垂直二打設切り替え根出し棒打設機の角溝レール両側面に脱落防止レールに角頭ハンマー装置を装着する法面又傾斜地面の勾配は多様化され現場作業に合わせ油圧シリンダーハンマー又はバイブレーションハンマー等の交換装置ができる又平地面等の垂直打設には角頭重量ハンマー落下式打設方法も出来る又角溝レール内の根張り杭収納中央部分の側面又下部にローラー付きの電磁石杭脱落防止装置を取り付け打設装置通過寸前に自動的に電磁石の電源を切る装置又この装置で打設出来る丸形根張り杭又は角形根張り杭の寸法の大小にかかわらず打設が可能な打設装置。
【請求項２】
角溝レールの下方側面に９０度反転移動レール付き根出し棒の装置と角溝レール先端下部に接地水平安定板を固定しさらに上部両側面左右に油圧チャックを固定する又角溝レール下方裏側に装着する油圧シリンダーの伸縮機構に装着するスライド二本棒固定基板の二本棒は蝶番付き開閉ガードの下から装着し油圧チャックの駆動装置に又スライド二本棒固定板の中央に突起駆動装置中心に組み入れた連動レバーは油圧シリンダーの伸縮で上下に移動する連動レバーに連結する上下駆動レバーは９０度反転移動レール付き根出し棒を駆動させる油圧シリンダー伸縮機構で同時連動する油圧チャックと９０度反転移動レール付き根出し棒の装置。
【請求項３】
請求項１、２記載の角溝レール収納の根張り杭を角頭打設ハンマー装置で打設角溝レール内杭頭２０ｃｍ前後残し後は地下に打設される次に操作する油圧チャックで２０ｃｍ前後の杭頭を強力に挟み固定する同時に９０度反転移動レール付き根出し棒が角溝レール中心で止まる上部から角頭打設ハンマー装置が降り根出し棒尻を強力に叩き衝撃を加えると移動レールの装着した根出し棒が地下に打設した根張り杭に収納した根張り鋼板を根張り杭の側壁の要所要所の８ヶ所の突出口から地下深部で根張り鋼板を広範囲に開放させ打設を終えると根張り杭内部に入った根出し棒固定アーム部分を角頭打設ハンマー装置に装着した根出し棒引揚げフックで引っ掛け根出し棒を定位置に戻すと油圧チャックは根張り棒頭を外し又逆転し９０度反転移動レール付き根出し棒は固定アーム制御装置と連動する電磁石開閉根出し棒固定装置で押える又角頭打設ハンマー装置は定位置に固定される方法と装置。
【発明の詳細な説明】
【技術分野】
【０００１】
地震、台風等の大雨による高速道路、一般公道、電車線路の法面傾斜地面の崩落、ガケ崩れ等の復旧工事に又法面崩壊防止補強杭等の最適な根張り杭の側壁の要所要所８ヶ所に突出口を設け製造工程で本杭内部に収納する厚く幅広で鋭角の先端の長い根張り鋼板８枚収納する根張り杭専用法面及び垂直二打設切り替え根出し棒打設機をもって法面傾斜地面に打設すると地下深部で根張り杭から８枚の根張り鋼板が広範囲に突出し、木の根のように広く地面下を補強する杭及び打設機の提供である。
【背景技術】
【０００２】
土木工事用杭は木杭、摩擦杭、鋼管杭、コンクリートパイル等と多種多様の杭があり又全て一本形状で又一打設工法が通常のものである。（「特許第３１３７２４３号」）の土木工事用杭の商標の（「登録第７９４４０３号」）の根張り杭は二打設工法の杭である。丸鋼管形又は角鋼形で出来る根張り杭の側壁の要所要所８ヶ所に突出口を設け又製造工程で根張り杭内部に収納する厚く幅広で鋭角の先端の長い根張り鋼板が８枚組み込まれている。又従来工法では根張り杭上部側面に埋没防止板を溶接加工して軟弱地盤に垂直打設する時に杭全体埋没防止に広く大きなプレートが必要でそれを杭下に敷き根張り杭の上からモンケン工法の重量ハンマーの落下式打設のため必ず曲がって打設される不都合があった。
【発明の開示】
【発明が解決しようとする課題】
【０００３】
昔から法面、傾斜面の木は切るな、木を切れば必ずガケは崩れるの教えのように木の根は地下で絡み合い法面を地下で補強している。ところが道路拡張工事等で木々を伐採した法面の地下では支えあうものが無いため多少の雨でも法面崩壊が起きる。そこで根張り杭は二打設工法で地下深度に打設した根張り杭の側壁の要所要所の８ヶ所の突出口から８枚の根張り鋼板を木の根のように広範囲に突出させることで法面又傾斜地面等の崩壊防止杭、災害防止杭の根張り杭専用法面及び垂直二打設切り替え根出し棒打設機の提供である。
【０００４】
上記課題を解決する方法として二打設工法の根張り杭の打設機の開発が急務であった。根張り杭専用法面及び垂直二打設切り替え根出し棒打設機を建設機械のユニックアーム先端に取り付け高速道路、一般公道、電車線路上下の法面等の法面崩壊、ガケ崩れ等の復旧工事又法面崩壊防止補強杭の打設工事の打設が出来る。本発明の打設機の二打設工法で打設された根張り杭は深さ１．５ｍから２ｍの間の根張り杭の側壁の要所要所の突出口から８枚の厚く幅広で先端が鋭角で長い根張り鋼板が土中で広範囲に刺さり強力な摩擦抵抗の支持力で地下の安定をする根張り杭は完全錆止仕上げで杭長２ｍ根張り鋼板８枚収納、杭重量５０ｋｇ未満で軽量杭である根張り杭と打設機等の装置の提供である。
【発明の効果】
【０００５】
本発明の根張り杭専用法面及び垂直二打設切り替え根出し棒打設機の装置は一本の角溝レール両側面の脱落防止レールに角頭打設ハンマー装置を装着する。平地等では垂直打設用のモンケン等の重量ハンマー落下式打設も可能であるが、法面、傾斜地面は全て勾配が違うために法面等傾斜に対し垂直打設工法の打設ハンマー装置は使用不可能である。そこで法面又傾斜地面に相対し打設出来る角頭打設装置の油圧シリンダー付きハンマー又はバイブレーションハンマー等の交換の使用出来る方法。角溝レール先端の下に接地水平安定板を固定する。又角溝レールの裏側に装着する油圧シリンダーに連結するスライド二本棒固定基板の二本棒は角溝レール先端の蝶番付き開閉ガードの下から装着すると油圧チャックの装置になる。又、スライド二本棒固定基板の中央に二枚の変形板の突起駆動装置に組み込まれた連動レバーと上下駆動レバーに連結した９０度反転移動レール付き根出し棒は仕様に応じ正、逆転を繰り返し駆動する。重く長い根出し棒は他の打設以外に動きを止める安全装置の固定アーム制御装置と連動する電磁石開閉式根出し棒固定装置で押える。二打設工法の根張り杭を角溝レールに収納する側面又は下部にローラー付きの電磁石杭脱落防止装置で打設寸前まで押え後は電磁石の電源を切る自動センサー付き。一打設工法では角頭打設ハンマー装置で打設する根張り杭は角溝レール先端内で２０ｃｍ前後杭頭を残したところで打設を終え、角頭打設ハンマー装置は上部定位置に戻り固定する。又角溝レールを通り打設される根張り杭は前後左右の狂いもなく目標に正確に地下に打設された根張り杭は角溝レール先端内部に２０ｃｍ前後残した杭頭を油圧チャックで強力に挟み固定すると同時に９０度反転移動レール付き根出し棒が角溝レールの中央部分に入る。二打設工法が始まる。根出し棒尻を角頭打設ハンマー装置で強力に叩き衝撃を加えると移動レールに装着した根出し棒が地下に根張り杭内部の根張り鋼板を又根張り杭の側壁に要所要所に設けた８ヶ所の突出口から地下深部で広範囲に根張り鋼板を開放させることで木の根の原理同様に法面等の傾斜地面下では一本の根張り杭中心から広く放出された根張り鋼板で大きな摩擦抵抗等の支持力で法面等の崩落を防止しようとする根張り杭の二打設工法終了とその打設手順である。後は打設を終えた角頭打設ハンマー装置の側面の根出し棒引揚げフックで根出し棒固定アームを引っかけ移動。レールに装着した根出し棒が定位置に戻ると角溝レール内部から逆転９０度反転移動レール付き根出し棒は固定アーム制御装置と電磁石開閉式根出し棒固定装置で完全に制御される。本発明の根張り杭専用法面及び垂直二打設切り替え根出し棒打設機を高所作業機のユニックアームに装着し使用する法面傾斜地面又平地への垂直打設を可能とした打設機の使用と又作業中の打設機への根張り杭の供給は別のユニックで吊り上げる電磁石杭吊り上げ供給装置で行う。又角頭レール先端側面に固定した定点カメラで画像を監視しオペレーターは安全を確認し作業が出来る方法と機構及び装置の打設機の提供である。
【課題を解決するための手段】
【０００６】
上記目的を達成する手段として平地面での根張り杭の二打設工法は問題はないが、法面、傾斜地面への打設は皆無であった。そこで根張り杭専用法面及び垂直二打設切り替え根出し棒打設機は小型で軽量で一貫し二打設工法を可能としたことで建設機械のユニックアームに装着し道路等から下の法面への打設作業又低い所から高い場所への打設作業が簡単に出来る又根張り杭供給方法は別途のユニックアームに電磁石杭吊り上げ供給装置で行う方法と装置。
【発明を実施するための最良の形態】
【０００７】
上記のように構成された根張り杭専用法面及び垂直二打設切り替え根出し棒打設機は角溝レール内に収納する根張り杭の角頭打設ハンマー装置の地下への打設では前後左右に狂いはなく目標に正確に打設されることで地下震度１．５ｍ以下での根張り鋼板が法面、傾斜地面を支えるための補助杭又災害防止杭は摩擦抵抗等の支持力の増加になる。又角溝先端に固定した定点カメラの画像をオペレーターが監視し安全を確認し作業が出来る。
【実施例】
【０００８】
以下、この発明の実施例を図面に基づいて説明する。１．の角溝レールの両側面に２．の脱落防止レール３．の角頭打設ハンマー装置を組み込む又側面に６．の根出し棒引揚げフックを装着、４．のワイヤーと５．の巻取り開放ワイヤーリールに角溝レールの先端下部に１７．の接地水平安定板を固定する。２１．の根張り杭を角溝レールに収納するレール側面又下部にローラー付きの２３．の電磁石杭脱落防止装置で打設寸前まで押え後は電磁石の電源を自動センサーで切る。一打設工法では、角頭ハンマー装置で打設された根張り杭は角溝レール先端内で２０ｃｍ前後杭頭を残した所で打設を終え、打設ハンマー装置は上部定位置に戻り固定する。角溝を通り打設される根張り杭は前後左右狂いもなく目標に正確に地下に打設された根張り杭。又角溝レール先端２０ｃｍ前後残した杭頭を１３．の油圧チャックで強力に挟み固定する。又この油圧チャックを駆動させる１０．の油圧シリンダーに連結する１１．のスライド二本棒固定基板の二本棒は角溝レール先端の両側の１２．の蝶番付き開閉ガード部分に二本棒が入る油圧チャック開閉装置。スライド二本棒固定基板の中央に二枚の変形板の１４．の突起駆動板を固定する。油圧シリンダーの伸縮で連動するスライド二本棒固定基板の二本棒で油圧チャックを開閉させ又突起駆動装置に組み入れた１５．の連動レバーは１６．の上下駆動レバーに連結し７．の９０度反転移動レール付き根出し棒は仕様に応じ正、逆転を繰り返し駆動する装置。重く長い根出し棒は他の打設以外に動きを止める安全装置の９．の固定アーム制御装置に連動する１９．の電磁石開閉式根出し棒固定装置で押える。又根張り杭、杭頭２０ｃｍ前後油圧チャックで強力に挟んだ状態で９０度反転移動レール付き根出し棒が角溝レール中央部分に入ると二打設工法開始である。根出し棒尻を角頭打設ハンマー装置で強力に叩き衝撃を加えると移動レールに装着した根出し棒が地下に打設した根張り杭内部に収納した根張り鋼板を根張り杭側壁の要所要所に設けた突出口８ヶ所から広範囲に突出させると二打設工法が終了となる。後は打設を終えた角頭打設ハンマー装置の側面の根出し棒引揚げフックで８．の根出し棒固定アームを引き上げる移動レールに装着した根出し棒は定位置に戻ると逆転し角溝レール内部から９０度反転され出ると固定アーム制御装置と電磁石開閉式根出し棒固定装置で完全に制御する。この根張り杭の二打設工法を自動的に法面及び傾斜地面に又垂直地面下に根張り鋼板を突出させる装置と工法の打設機を高所作業機の２０．のユニックアームに装着、又上向き装着と下向き装着は可能で角溝レール先端下部固定の１７．の接地水平安定板を使用すると法面等への打設は安定する。別のユニックで吊り上げる２２．の電磁石杭吊り上げ供給装置。１８．の定点カメラで画像を監視しオペレーターは安全を確認し作業が出来る、方法と装置の提供である
【０００９】
【特許文献１】特許第３１３７２４３号
【特許文献２】登録第７９４４０３号
【図面の簡単な説明】
【００１０】
【図１】本発明に係る根張り杭法面及び垂直二打設切り替え根出し棒打設機の全体を示す斜面図及び一部断面図である。
【図２】本発明に係る角溝レールの収納した根張り杭と角頭打設ハンマー装置を示す平面図及び断面図である。
【図３】本発明に係る角溝レールに収納した根張り杭を角頭打設ハンマー装置で打設した所を示す平面図及び断面図である。
【図４】本発明に係る角溝レール内の根張り杭を油圧チャックで固定した９０度反転移動レール付き根出し棒が角溝レール中心に止まった所を示す平面図及び断面図である。
【図５】本発明に係る油圧チャックで固定した根張り杭内部に根出し棒尻を角頭打設ハンマーで叩き又移動レールで動いた所を示す平面図及び断面図である。
【図６】本発明に係る角溝レール裏側に装着した油圧シリンダーに連結するスライド二本棒固定基板、蝶番付き開閉ガード、突起駆動板、連結レバーの取り付けを示す平面図及び断面図である。
【図７】本発明に係る角溝レールと脱落防止レール、接地水平安定板、突起駆動装置の間の連結レバーを示す側面図及び断面図である。
【図８】本発明に係る油圧シリンダーが伸びてそれで突起駆動装置の中の連結レバーの動きを示す側面図及び断面図である。
【図９】本発明に係る角溝レール内に９０度反転移動レール付き根出し棒が入りそれぞれの装置の仕組みを示す断面図である。
【図１０】本発明に係る角溝レール側面の９０度反転移動レール付き根出し棒とそれぞれの装置の仕組みを示す断面図である。
【図１１】本発明に係る電磁石杭吊り上げ供給装置と根張り杭を示す側面図である。
【図１２】本発明に係る根張り杭が地下で根張り鋼板を突出した所を示す斜面図である。
【符号の説明】
【００１１】
１．角溝レール
２．脱落防止レール
３．角頭打設ハンマー装置
４．ワイヤー
５．巻取り、開放ワイヤーリール
６．根出し棒引揚げフック
７．９０度反転移動レール付き根出し棒
８．根出し棒固定アーム
９．固定アーム制御装置
10．油圧シリンダー
11．スライド二本棒固定基板
12．蝶番付き開閉ガード
13．油圧チャック
14．突起駆動装置
15．連動レバー
16．上下駆動レバー
17．接地水平安定板
18．定点カメラ
19．電磁石開閉式根出し棒固定装置
20．ユニックアーム
21．根張り杭
22．電磁石杭吊り上げ供給装置
23．電磁石杭脱落防止装置
【図１】
2007056479.tif 000003
【図２】
2007056479.tif 000004
【図３】
2007056479.tif 000005
【図４】
2007056479.tif 000006
【図５】
2007056479.tif 000007
【図６】
2007056479.tif 000008
【図７】
2007056479.tif 000009
【図８】
2007056479.tif 000010
【図９】
2007056479.tif 000011
【図１０】
2007056479.tif 000012
【図１１】
2007056479.tif 000013
【図１２】
2007056479.tif 000014